(57)【要約】【目的】汚物処理の容易な汚物処理用具及び便座カバーの提供【構成】バケツの底に接触可能なシート状部と該シート状部に取りつけられた誘導棒からなる汚物処理具であって、該誘導棒はシート状部に取りつけられて、バケツの口から底に到達できる長さを有し、排泄前のポータブルトイレにセットして、排泄後にバケツを倒して誘導棒を引き出すことで汚物を引き出すことを可能とし、またバケツの口への調整可能な引っ掛け部を設けている。また、ポータブルトイレ用バケツは、汚物排泄用の傾斜面を有し、傾斜面の対面外側に縁高さに人さし指による操作部と下方に中指または薬指による操作部を有している。【選択図】        図１
2004147735.tif 000002
【特許請求の範囲】
【請求項１】
バケツの底に接触可能なシート状部と該シート状部に取りつけられた誘導棒からなる汚物処理具であって、該誘導棒はシート状部に取りつけられて、バケツの口から底に到達できる長さを有し、排泄前のポータブルトイレにセットして、排泄後にバケツを倒して誘導棒を引き出すことで汚物を引き出すことを可能とした汚物処理具。
【請求項２】
バケツの口への調整可能な引っ掛け部を設けた請求項１記載の汚物処理具。
【請求項３】
ポータブルトイレ用バケツであって、汚物排泄用の傾斜面を有し、傾斜面の対面外側に縁高さに人さし指による操作部及び／又は下方に中指または薬指による操作部を有したことを特徴とするポータブルトイレ用バケツ。
【請求項４】
バケツに取りつけ可能な部品であって、バケツ側面への接着を可能とした接着面と操作のための指挿入可能なループ部分からなるバケツ付属品。
【請求項５】
便座を覆う便座カバーと、カバー内のループ状形成のために両端で結合可能とした形状保持具とからなるに便座カバーにおいて、両端の離脱方法を結合状態における洗濯時に結合部が外れないように構成して、保持具を便座カバー内にセットしたまま便座カバー全体を洗濯可能としたことを特徴とするポータブルトイレ用便座カバー。
【発明の詳細な説明】
【０００１】
【発明の属する技術分野】
本発明は、汚物の処理が楽にできる種々の用品に関する発明であり、ポータブルトイレ用バケツと汚物処理具、さらには、既存のバケツに取り付けて汚物処理が容易としたバケツ付属品、そして、便座カバーに関するものである。
【０００２】
【従来の技術】
従来のポータブルトイレは、汚物を受けるバケツの底が非常に狭いものもあり、汚物がバケツの底にくっついて取り出しにくく、バケツを片手で楽に倒して処理するようになっていない。また、このようなバケツであれば、汚物を処理すると掃除用具そのものも非常に汚れてしまうという問題点があった。
さらに、汚物の処理を容易にするバケツの底に敷くシートとして、長方形の多層シートが提案されている（例えば、特許文献１）。
【０００３】
【特許文献１】
特開昭５９−１６９８２３号公開公報フロントページ
【０００４】
【発明が解決しようとする課題】
しかしながら、このシートは、単に長方形のシートであり、用便後バケツの底からうまくシートを引き出せないばかりか、バケツの底形状にもマッチしていないので使い辛いものであった。さらに、通常のバケツもポータブルトイレ用バケツにおいても、汚物排泄のためにバケツを傾ける必要があるが、このための工夫がなされていない。
また、便座カバーは汚れた場合に、内部の形状保持具を外して洗わなければならない。それは、形状保持具が単に差込み式となっている簡単な構造のため、保持具を付けたまま洗濯機にセットすると洗濯の途中で差込みが外れてしまい、便座カバーが伸びて使い物にならなくなってしまう。しかしこの保持具を外して洗うためには、汚れた便座カバーにさわらなくてはならず、また、洗濯後のセットも非常に手間がかかり、面倒なものとなって、介護者の負担となっていた。
従って、本発明者は、ポータブルトイレ用バケツにおいて排泄を容易にするための工夫と、さらに一般のバケツにおいても内容物の取り出しがし易いバケツ用に取り付け可能な付属品を提案するものである。
【０００５】
【課題を解決するための手段】
上記の課題を解決するために、請求項１記載の汚物処理具は、バケツの底に接触可能なシート状部と該シート状部に取りつけられた誘導棒からなる汚物処理具であって、該誘導棒はシート状部に取りつけられて、バケツの口から底に到達できる長さを有し、排泄前のポータブルトイレにセットして、排泄後にバケツを傾け、誘導棒を引き出すことでシート上の汚物を取り出すことを可能としたことを要旨とする。
【０００６】
請求項２記載の汚物処理具は、バケツの口への調整可能な引っ掛け部を設けたことを要旨とする。
【０００７】
請求項３記載のポータブルトイレ用バケツは、汚物排泄用の傾斜面を有し、傾斜面の対面外側に縁高さに人さし指による操作部及び／又は下方に中指または薬指による操作部を有し、この操作部を使用してバケツを傾斜させることにより、汚物を流すことを要旨とする。
【０００８】
請求項４記載のバケツ付属品は、バケツに取りつけ可能な部品であって、バケツ側面への接着を可能とした接着面と操作のための指挿入可能なループ部分からなることを要旨とする。
【０００９】
請求項５記載のポータブルトイレ用便座カバーは、便座を覆う便座カバーと、カバー内のループ状形成のために両端を互いに着脱可能とした形状保持具とからなるに便座カバーにおいて、両端を結合状態において洗濯時に結合部が外れないように構成して、保持具を便座カバー内にセットしたまま便座カバー全体を洗濯可能としたことを要旨とする。
【００１０】
【発明の実施の形態】
本発明は、汚物処理を容易にするための用具の工夫についての発明であり、さらに汚物だけではなくバケツ内容物を引き出すあるいは流し出す場合に使い勝手の良いバケツ付属品、さらには便座カバーを提供するものである。
汚物処理具の形状はバケツ内の底にフィットさせ、汚物を載置するシート状部分とそれに取り付けられた誘導棒とからなる。
素材は軽く防水性があって、バケツや汚物の洗浄に適した強度を有したものが好ましく、合成樹脂や、アルミ等の軽量可撓性素材が望ましい。
【００１１】
特にポータブルトイレ用バケツの底形状は、図５に示すように、多種多様であるため、底形状は円形、矩形、括れを有した円形あるいは矩形となる。したがってそれらにそれぞれマッチする形状のシート状部としても良いし、最大公約数的に縁に立ち上がりを有した円形のシート状部を用いても良い。また、図１に示すように、シート状部には汚物の取り出し時に汚物の滑り落ちを防止するために、ストッパーの働きをする凹凸（横縞でも、突起でも形状は問わない）（２ａ）を設けてもよい。さらに、汚物の取り出しには誘導棒を引っ張ることにより、シート状部に載置された汚物をバケツより取り出し廃棄処理することが可能となる。また、ポータブルトイレ用バケツそのものの内容物排泄を容易にするために、バケツには０から２０度程度の傾斜を設けると良い。さらに、傾斜を補助するために、傾斜面とは反対側のバケツ側壁に指をかけることのできる引っ掛け部をもうけることで、容易にバケツの傾きを調整することができる。この引っ掛け部を設ける位置は種々の位置が考えられ、実施例に拘束されるものではない。
【００１２】
さらに、一般のバケツにおいても、このような傾斜のための指引っ掛け部があれば、操作がし易いので本発明のバケツはポータブルトイレ用バケツにのみ限定せず、一般のバケツにおいても応用可能である。
また、既存のバケツに後から付属品を取りつけることにより、傾斜可能なバケツをすることも可能で、指引っ掛け用のループ部分とバケツへの取りつけ部分を有して入れば良い。この取り付け部分は接着シート等が添付されていると好ましいであろう。
最後に便座カバーにおいて、保持具の両端を結合状態において洗濯時に結合部が外れないような構成の両端の離脱方法とは、例えば、図４に示すかぎ状や、図１に示す誘導棒の調節部に見られるようなボタン（突起）とスリット等のはめ込み等が考えられ、これらに限定されるわけではなく、洗濯機の回転により容易に外れることがないものであれば、どのような結合部分であっても、かまわない。
【００１３】
【実施例】
本発明の実施例を図１〜図５に基づいて説明する。
図１は、本発明の汚物処理具の全体斜視図である。（ａ）は汚物処理具の全体斜視図、（ｂ）は調整部分拡大図である。図２は、ポータブルトイレ用バケツの側面から見た使用状態図である。図３はバケツ付属品の斜視図、図４（ａ）は従来の便座カバー内の形状保持具の結合部分の説明図である。（ｂ）は本発明の便座カバー内の形状保持具の結合部分の説明図、図５は従来のポータブルトイレ用バケツの形状を示すものである。
【００１４】
［実施例１］
本実施例は、おもにポータブルトイレ用バケツ内にセットして使用する汚物処理具（１）についての一実施例を示す。図を用いて本実施例の説明を行う。
図１において、（１）は汚物処理具、（２）はシート状部、（２ａ）は横縞凹凸、（３）はペーパー、（４）は誘導棒、（５）は調節部、（６）は引っ掛け部である。図２において（７）はバケツ、（７ａ）はバケツの柄、（７ｂ）はバケツの柄の置き場、（８）は指引っ掛け部、（９）下方の指引っ掛け部、（１０）バケツ先端の傾斜面である。
まず、ポータブルトイレあるいは一般のバケツで用便を取る場合は、あらかじめ汚物処理具（１）をバケツの底にセットして置く。この上にペーパー（３）を載せても良い。このとき、バケツの縁に汚物処理具の誘導棒の先端の引っ掛け部（６）が上手くひっかからない場合には、誘導棒に設けられている調節部において、最適な位置へボタン（５ａ）を嵌め替えることで必要な長さに調整できる。また、シート状部には汚物を取り出すときに汚物がすべり落ちないようにストッパーとして横縞の凹凸（２ａ）を設けている。これはシート状部に立ち上がりのある縁を設けてもよい。
【００１５】
このような汚物処理具を用いると、汚物がバケツにへばりつくことも無く、汚物処理具を持ち上げて汚物ごとあるいは汚物とペーパーごと処分すれば、簡単に汚物の処理が可能で、バケツが汚れることもない。なお、汚物処理具（１）は繰り返し使えるため、便利である。なお、誘導棒（４）の中央には調節部分（５）を設けても良いし、引っ掛け部（６）を上下に複数段設けて、どのような深さのバケツにも対応可能としても良い。なおこの調製機構は、図１においては、スリットとボタン状の突起で構成したが、どのような構成でも良い。また、本実施例では、シート状部と誘導棒は一体成形されたものを説明したが、必ずしもこの構成にこだわるものではなく、別部材で組あわせて用いても良い。なお本実施例のような構成にすると、シート状部が安定して、使用しやすい物となる。さらに、本発明の汚物処理具は、一般のバケツにも使用可能であり、ポータブルトイレ用に限定されない。
【００１６】
なお、シート形状は上記実施例に限られず、どのような形でも良い。
以上のような汚物処理具を用いると固形状の汚物が例えば２回排泄分たまっている状態であっても、汚物がシート状部によってしっかりと保持され、汚物の取り出しが容易で介護者の作業が軽減される。
また、誘導棒（４）は調整が可能であるため、どのような容器にも使用可能となり、便利である。
【００１７】
［実施例２］
本実施例は、図２を用いて汚物処理に適したバケツの一実施例について説明する。  図２はバケツの側面から見た使用状態図である。まず、汚物等の排泄に便利なように、バケツの一部に外方向へ２０度程度の傾斜を設けている（１０）。さらに、傾斜面と反対側に指を引っ掛け可能なループ部分（８）（９）を設けている。（８）と（９）は上下方向に４〜５センチずらせており、人指し指と薬指あるいは、人指し指と中指という風に複数の指を引っ掛け可能としている。例えば右利きの人であれば、左手でバケツを傾け右手で汚物処理具を取り出すと良い。なお、実際の使用においては、バケツには柄が設けられているものもあり（７ａ）その場合には柄の置き場所（７ｂ）がバケツの縁にもうけられている場合もある。
このときは人指し指引っ掛け部（８）をこの柄の置き場（７ｂ）で代用させることも可能である。
このような汚物処理用バケツを使用すると、従来のバケツに比べ、内容物の排泄のためのバケツの傾きが少ない力で容易に得られるため、非常に扱い安いバケツとなる。また、内容物も取り出し時に傾斜面よりスムーズに取り出せ好ましい。
【００１８】
［実施例３］
本実施例は、図２・図３を用いて汚物処理に適したバケツの付属品についての一実施例について説明する。  図３はバケツの付属品の斜視図である。（１１）は指引っ掛け部、（１２）は基部であり、裏面にはバケツ側面への接着を可能とする接着面（１３）が設けられ接着テープ等が貼付されている。このような構成であれば、既存のバケツにも後から好きな場所に指引っ掛け用の付属品を取りつけることが可能となり便利である。
図２に示すように上下に配置しても良いし、左右にややずらせて上下方向に設けても良い。また、単体でも良い。作業する人の手の大きさや指の開き具合で決定することが可能となる。障害により左手しか使用できない人でもこのような付属品のついたバケツであれば、非常に少ない力でバケツを傾けることが可能となり、便利である。
【００１９】
［実施例４］
本実施例は、便座カバーに関する物であり、図４を用いて説明する。図４（ａ）は従来の便座カバーの形状保持具の結合部の説明図である。図４（ｂ）は本発明の便座カバーの形状保持具の結合部の説明図である。
便座カバーはよく汚れそのたびに、便座より外して洗濯する必要があるが、便座カバーの中にパイプ状の形状保持具がはめ込まれている。この保持具は両端がパイプ状となっており、便座の中に挿入した後、一端を他端に差し込むことで便座形状をループ状に保持することができるものである。しかしながら洗濯時には洗濯機の回転によりこの結合部分（１４）が簡単にはずれ、洗濯機の中で便座カバーが形状を保持できず伸び切ってしまうため、必ず洗濯にあってはこの形状保持具をあらかじめはずす必要があった。しかし、介護者にとってこの便座カバーからの保持具の取り外しと、洗濯後の取り付け作業は、非常に手間のかかる疲れる作業となっている。
【００２０】
本発明者はこのような点を改善すべく、洗濯時において保持具の取り外しが不要な便座カバーを提供した。
本発明は結合部が図４（ｂ）（ｃ）のようにかぎ状としているため、洗濯機の回転によっても、容易に外れることが無く、形状保持具をつけたまま洗濯が可能で、保持具の取り外し作業と保持具の取り付け作業から介護者が開放される。
特に介護が必要なポータブルトイレを使用しているお年よりが居る場合、体の自由が利かない場合が多いので、便座カバーは日に何度も汚れることが多く、この作業から介護者が開放されることは、非常な労力の軽減となる。
【００２１】
【発明の効果】
以上説明したように、本発明は、汚物処理のための便利な処理具を提案した。この本発明を用いると、バケツの汚れも少なく、汚物の取り出しも容易で好ましい。また、バケツ付属品は、既存のバケツ、たらい等あらゆる物に取り付け可能で、容器を容易に少ない力で傾けることが可能となる。そして、便座カバーは汚れた場合にそのまま洗濯機にかけることができ、非常に労力の削減をもたらす。さらに、これらの汚物処理具はそれぞれ単品でも使用可能であるが、それらを組み合わせて使用することで、さらに汚物処理における便利さは倍増する。
【図面の簡単な説明】
【図１】（ａ）汚物処理具の斜視図である
（ｂ）誘導棒の調節部の拡大図である
【図２】バケツの側面から見た使用状態図である。
【図３】バケツの付属品の斜視図である。
【図４】本発明の便座カバー内の形状保持具の結合部の説明図である。
【図５】従来のポータブルトイレ用バケツの説明図である。
【符号の説明】
１    汚物処理具
２    シート状部
２ａ  ストッパー
３    ペーパー
４    誘導棒
５    調節部
６    引っ掛け部
７    バケツ
７ａ  バケツの柄
７ｂ  バケツの柄の置き場
８    指引っ掛け部
９    下方の指引っ掛け部
１０  傾斜面
１１  指引っ掛け部
１２  基部
１３  接着面
【図１】
2004147735.tif 000003
【図２】
2004147735.tif 000004
【図３】
2004147735.tif 000005
【図４】
2004147735.tif 000006
【図５】
2004147735.tif 000007